(57)【要約】【課題】  もぐらに気づかれ難く捕獲が容易であると共に、設置も容易なもぐら捕獲器を提供する。【解決手段】  もぐら捕獲器１０は、地表１からもぐら道２まで貫通する垂直穴３に挿嵌されて地表側端部が蓋部材１３により封止された筒状本体１１と、筒状本体内に収容された多数のフィラメントからなる捕獲部１６と、その上端に取り付けられて蓋部材１３に設けた取出し孔１３ａから外部に取り出された引出し糸１７と、捕獲部１６の下端側から複数本に別れてもぐら道２の底まで延びた道糸１８とからなる捕獲糸材１５と、道糸１８の先端に取り付けられた重り１９とを備えている。【選択図】    図１
0003102516.tif 000002
【実用新案登録請求の範囲】
【請求項１】
地表からもぐら道まで貫通した垂直穴に挿嵌されて地表側端部が蓋部材により封止された筒状本体と、
該筒状本体内に収容された多数のフィラメントによって構成された捕獲部と、該捕獲部の上端に一体で取り付けられて延びて前記蓋部材に設けた取出し孔から外部に取り出された引出し糸と、該捕獲部の下端側から複数本に別れて前記もぐら道の底まで延びた道糸とからなる捕獲糸材と、
該道糸の下端に取り付けられた重りと
を備えたことを特徴とするもぐら捕獲器。
【請求項２】
地表からもぐら道まで貫通した垂直穴に挿嵌されて地表側端部が蓋部材により封止された筒状本体と、
該筒状本体内に収容された多数のフィラメントによって構成された捕獲部と、該捕獲部の上端に一体で取り付けられて延びて前記蓋部材に設けた取出し孔から外部に取り出された引出し糸と、該捕獲部の下端側から前記もぐら道の底まで延びた細い糸を編んだ網部とからなる捕獲糸材と、
該網部の下端に取り付けられた重りと
を備えたことを特徴とするもぐら捕獲器。
【請求項３】
地表からもぐら道まで貫通した垂直穴に挿嵌されて地表側端部が蓋部材により封止された筒状本体と、
該筒状本体内に収容された細い糸を編んだ多数の網によって構成された捕獲部と、該捕獲部の上端に一体で取り付けられて延びて前記蓋部材に設けた取出し孔から外部に取り出された引出し糸と、該捕獲部の下端側から前記もぐら道の底まで延びた細い糸を編んだ網部とからなる捕獲糸材と、
該網部の下端に取り付けられた重りと
を備えたことを特徴とするもぐら捕獲器。
【請求項４】
地表からもぐら道を通過してその下側まで延びた垂直穴の該もぐら道を挟んだ上側部分に挿嵌されて地表側端部が蓋部材により封止された上筒状本体と、
該垂直穴の該もぐら道を挟んだ下側部分に挿嵌された下筒状本体と、
該下筒状本体内に収容された多数のフィラメントによって構成された捕獲部と、該捕獲部の上端に一体で取り付けられて延び、先端側が前記蓋部材に設けた取出し孔から外部に引き出された引出し糸とからなる捕獲糸材と、
該捕獲糸材の下端に取り付けられた重りと
を備えたことを特徴とするもぐら捕獲器。
【請求項５】
地表からもぐら道を通過してその下側まで延びた垂直穴の該もぐら道を挟んだ上側部分に挿嵌されて地表側端部が蓋部材により封止された上筒状本体と、
該垂直穴の該もぐら道を挟んだ下側部分に挿嵌された下筒状本体と、
該下筒状本体内に収容された多数のフィラメントによって構成された捕獲部と、該捕獲部の上端に一体で取り付けられて前記もぐら道内に配置された細い糸を編んだ網部と、該網部から延びて先端側が前記蓋部材に設けた取出し孔から外部に引き出された引出し糸とからなる捕獲糸材と、
該捕獲糸材の下端に取り付けられた重りと
を備えたことを特徴とするもぐら捕獲器。
【考案の詳細な説明】
【技術分野】
【０００１】
本考案は、もぐら道を通過するもぐらを捕獲するもぐら捕獲器に関する。
【背景技術】
【０００２】
従来、この種のもぐら捕獲器としては、例えば特許文献１に示すように、地表下のもぐら道に、二個の筒片を切離し可能に同軸に接続した筒体を取り付け、筒体の両側開口部に、もぐらが筒体に入ることはできるが筒体から出ようとしても出られないように、逆止扉を設け、筒体の各開口部から若干奥に入った部位の底面にミミズを練り込んだ湿った加工土を保持可能な透穴を任意数設けたものが知られている。これにより、加工土によってもぐらを筒体内におびき寄せて、筒体内に入ったもぐらを出られないようにして、捕獲しようとするものである。
【特許文献１】特開平１０−１１７６６４
【０００３】
しかし、上記もぐら捕獲器の場合、筒体や逆止扉等があることがもぐらに感知され易いため、必ずしももぐらが内部に入り易いものではなく、もぐらの捕獲が容易ではないという問題がある。また、もぐら捕獲器のもぐら道への設置についても、地面を掘り返して捕獲器を設置した後、土を被せる必要があるため容易ではなかった。
【考案の開示】
【考案が解決しようとする課題】
【０００４】
本考案は、上記した問題を解決しようとするもので、もぐらに気づかれ難く、捕獲が容易であると共に、設置も容易なもぐら捕獲器を提供することを目的とする。
【課題を解決するための手段】
【０００５】
上記目的を達成するために本考案の構成上の特徴は、地表からもぐら道まで貫通した垂直穴に挿嵌されて地表側端部が蓋部材により封止された筒状本体と、筒状本体内に収容された多数のフィラメントによって構成された捕獲部と、捕獲部の上端に一体で取り付けられて延びて蓋部材に設けた取出し孔から外部に取り出された引出し糸と、捕獲部の下端側から複数本に別れてもぐら道の底まで延びた道糸とからなる捕獲糸材と、道糸の下端に取り付けられた重りとを備えたことにある。
【０００６】
上記のように構成した考案においては、もぐら道には、筒状本体内の捕獲部から延びた複数の道糸が配設されているのみなので、もぐらに気づかれることはない。そのため、もぐら道を通過するもぐらを、極めて容易に道糸に引っかけることが可能になる。また、筒状本体内に収容された捕獲糸材の捕獲部の他端側から複数本に別れてもぐら道の底まで延びた細い道糸の先端に重りが取り付けられているため、道糸にもぐらが引っ掛かった際に、重りによって引張れらた道糸が確実にもぐらに絡み付くようになる。さらに、もぐらが絡み付いた道糸を引張ることにより、筒状本体内に収容された捕獲部が引張られてもぐらにしっかり絡み付き、もぐらの移動によって、もぐらの巣にまで導かれる。そのため、捕獲糸材が絡み付いたもぐらが移動不能になり、確実に捕獲される。さらに、巣にたどり着いたもぐらに絡み付いた捕獲糸材が、巣内に居る他のもぐらにも絡み付くため、結果として複数のもぐらの捕獲も可能になる。また、このもぐら捕獲器は、地表からもぐら道まで貫通する垂直穴を形成した後、筒状本体を垂直穴に挿嵌すればよいため、取り付けが非常に容易にされる。
【０００７】
また、上記もぐら捕獲器において、道糸の代りに、細い糸を編んだ例えばかすみ網のような網部をもぐら道に設けることもできる。このような細い糸からなる網部をもぐら道に設けてももぐらに気づかれることなく、かつもぐらに確実に絡み付くため、道糸を設けた場合と同様の効果が得られる。
【０００８】
さらに、上記もぐら捕獲器において、捕獲部を多数のフィラメントによって構成する代りに、細い糸を編んだ例えばかすみ網のような多数の網で構成することもできる。このような細い糸からなる多数の網で捕獲部を構成しても、もぐらにしっかりと絡み付くため、多数のフィラメントで構成した場合と同様の効果が得られる。
【０００９】
また、本考案の他の特徴は、地表からもぐら道を通過してその下側まで延びた垂直穴の該もぐら道を挟んだ上側部分に挿嵌されて地表側端部が蓋部材により封止された上筒状本体と、垂直穴のもぐら道を挟んだ下側部分に挿嵌された下筒状本体と、下筒状本体内に収容された多数のフィラメントによって構成された捕獲部と、捕獲部の上端に一体で取り付けられて延び、先端側が蓋部材に設けた取出し孔から外部に引き出された引出し糸とからなる捕獲糸材と、捕獲糸材の下端に取り付けられた重りとを備えたことにある。
【００１０】
上記のように構成した考案においては、下筒状本体内に収容された捕獲糸材の捕獲部の下端に重りが取り付けられているため、もぐら捕獲器の取り付けの際に、捕獲部がもぐら道に飛び出すことがなく、もぐら道には捕獲部から延びた引出し糸があるのみなので、もぐらに気づかれることはない。そのため、もぐら道を通過するもぐらが、下筒状本体内の捕獲部に極めて容易に引っかかり、下筒状本体内から引っ張り出された捕獲部のフィラメントがもぐらに確実に絡み付くようになる。さらに、捕獲糸材の絡み付いたもぐらの移動によって、捕獲糸材がもぐらの巣にまで導かれる。そのため、捕獲糸材が絡み付いたもぐらが移動不能になり、捕獲される。さらに、巣にたどり着いたもぐらに絡み付いた捕獲糸材が、巣内に居る他のもぐらにも絡み付くため、結果として複数のもぐらの捕獲も可能になる。また、このもぐら捕獲器は、地表からもぐら道まで貫通する垂直穴を形成した後、上下筒状本体を垂直穴に挿嵌すればよいため、取り付けが非常に容易にされる。
【００１１】
また、上記もぐら捕獲器において、捕獲部の上端に一体で取り付けられてもぐら道内に配置された引出し糸の部分を、細い糸を編んだ例えばかすみ網のような網部に代えることもできる。このような細い糸からなる網部をもぐら道に設けてももぐらに気づかれることなく、かつもぐらに確実に絡み付くため、引出し糸を設けた場合と同様の効果が得られる。
【考案の効果】
【００１２】
本考案においては、もぐらに気がつかれないようにもぐら道に細い道糸あるいは引出し糸を配設し、道糸あるいは引出し糸にもぐらが引っ掛かった後は、捕獲糸材がもぐらに絡みつき易くされているため、もぐらの捕獲が容易かつ確実に行われると共に、巣内のもぐらの捕獲も可能になるという大きな効果が得られる。また、地面に垂直穴を設け、垂直穴に捕獲器を挿嵌すればよいので、もぐら捕獲器の取り付けが非常に容易にされる。また、もぐら道内等で、道糸あるいは引出し糸を、細い糸で編んだ網部に代えても同様の効果が得られる。
【考案を実施するための最良の形態】
【００１３】
以下、本考案の一実施例について図面を用いて説明する。図1は第１実施例であるもぐら捕獲器の使用状態を断面図により示したものである。図２，図３は、もぐら捕獲器の筒状本体と、捕獲糸材等を断面図及び説明図により示したものである。図４〜図６は、もぐら捕獲器によるもぐらの捕獲状態を説明図により示したものである。
【００１４】
もぐら捕獲器１０は、地表１からもぐら道２まで貫通する垂直穴３に挿嵌されて地表側端部が蓋部材１３により封止された筒状本体１１と、筒状本体内に収容された多数のフィラメントからなる捕獲部１６と、捕獲部１６の上端にて蓋部材１３に設けた取出し孔１３ａから外部に取り出された引出し糸１７と、捕獲部１６の下端側から複数本に別れてもぐら道２の底まで延びた道糸１８とからなる捕獲糸材１５と、道糸１８の先端に取り付けられた重り１９とを備えている。
【００１５】
筒状本体１１は、薄肉の金属製あるいは樹脂製の真直ぐなチューブであり、例えば２５ｍｍφ×２００ｍｍである。筒状本体１１は軸方向の一端内周面に捕獲糸材１５を保持するための粘着テープ１２が貼り付けられている。ただし、粘着テープについてはこれを省くことも可能である。筒状本体１１の他端開口には、ゴム製の蓋部材１３が嵌め合わされるようになっている。蓋部材１３は、円錐台形でその軸心位置には両側に貫通した径の細い取出し孔１３ａを設けている。
【００１６】
捕獲糸材１５は、図３に示すよう例えば１００あるいは１１０デニールの糸が用いられており、糸を多数のフィラメントにほぐしたものからなる捕獲部１６を有している。捕獲部１６は、一端でまとめられた引出し糸１７となって、蓋部材１３の取出し孔１３ａに挿通されて外部に引出されている。また、捕獲部１６の他端側でまとめられて、２本の道糸１８がもぐら道２内に延びている。各道糸１８の先端は、細く長さの短いパイプである重り１９に内に挿通されて取り付けられている。
【００１７】
つぎに、上記もぐら捕獲器１０の使用方法について説明する。まず、図７に示す筒状本体１１と同一径で長さの長い穴あけ筒部材２１を用いて、地表面１からもぐら道２に至る垂直穴３を形成する。穴あけ筒部材２１は、上端に蓋部材２２を嵌め合わせた状態で地表面１から地中に差し込まれ、もぐら道２に達するまで差し込まれる。もぐら道２に達したら、蓋部材２２の挿通孔２２ａを手で押えることにより、穴あけ筒部材２１内部が低圧状態にされて地中から引き抜かれる。これにより、穴あけ筒部材２１内に土が保持された状態で引き上げられるため、もぐら道２に土を落下させることなく垂直穴３が形成される。
【００１８】
つぎに、もぐら捕獲器１０を、引出し糸１７を一杯に引張って捕獲部１６を筒状本体１１内に保持した状態で、筒状本体１１を垂直穴３内に挿嵌する。この状態で引出し糸１７を緩めることにより、捕獲部１６が下方に移動して、その外側部分が筒状本体１１下端に設けた粘着テープ１２に貼り付けられる。また、引出し糸１７の先端は、地表側で図示しない重り等によって動き易い状態で固定され、それにより捕獲部１６が筒状本体１１内に保持される。さらに捕獲部１６の下端から伸びた道糸１８が重り１９に引張られてもぐら道２内に移動し、重り１９がもぐら道２の底に到達することにより、もぐら捕獲器１０の取り付けが終了する。
【００１９】
以上に示したように、本実施例によれば、もぐら道には、筒状本体１１内の捕獲糸材１５の捕獲部１６から伸びた複数の道糸１８があるのみなので、もぐら５に気づかれることはない。そのため、図４に示すように、もぐら道２を通過するもぐら５を、極めて容易に道糸１８に引っかけることが可能になる。また、道糸１８の先端に重り１９が取り付けられているため、道糸１８にもぐら５が引っ掛かった際に、重り１９に引張られた道糸１８が確実にもぐらに絡み付くようになる。
【００２０】
さらに、図５、図６に示すように、もぐら５が絡み付いた道糸１８を引張ることにより、筒状本体１１内に収容された捕獲部１６が引張られてもぐら５にしっかり絡み付き、もぐら５の移動によって、もぐらの巣にまで導かれる。そのため、捕獲糸材１５が絡み付いたもぐら５が移動不能になることにより、確実に捕獲される。さらに、巣にたどり着いたもぐら５に絡み付いた捕獲部１６が、巣内に居る他のもぐらにも絡み付くため、結果として複数のもぐらの捕獲も可能になる。また、このもぐら捕獲器１０は、地表１からもぐら道２まで貫通する垂直穴３を形成した後、筒状本体１１を垂直穴３に挿嵌すればよいため、取り付けが非常に容易に行われる。
【００２１】
つぎに、第１実施例の変形例について説明する。
変形例のもぐら捕獲器１０Ａは、図８に示すように、第１実施例のもぐら捕獲器１０において、道糸１８の代りに、細い糸を編んだ網部であるかすみ網２４を設けたものである。このような細い糸からなるかすみ網２４をもぐら道２に設けてももぐらに気づかれることなく、かつかすみ網２４が確実にもぐらに絡み付くため、道糸を設けた第１実施例と同様の効果が得られる。また、図示しないが、上記もぐら捕獲器１０において、捕獲部１６を多数のフィラメントによって構成する代りに、細い糸を編んだ例えばかすみ網のような多数の網で構成することもできる。このような細い糸からなる多数の網で捕獲部を構成しても、もぐらにしっかりと絡み付くため、多数のフィラメントで構成した第１実施例と同様の効果が得られる。
【００２２】
つぎに、第２実施例について説明する。
本実施例のもぐら捕獲器３０は、図９に示すように、地表１からもぐら道２を通過してその下側まで延びた垂直穴６のもぐら道２を挟んだ上側部分６ａに挿嵌されて地表側端部が蓋部材３３により封止された上筒状本体３１と、垂直穴６のもぐら道２を挟んだ下側部分６ｂに挿嵌された下筒状本体３２とを有している。下筒状本体３２内には、多数のフィラメントによって構成されて下端に重り３７の取り付けられた捕獲糸材３５の捕獲部３６が収容されている。また、捕獲部３６の上端に一体で取り付けられた引出し糸３８が、上方に延びて先端側が蓋部材３３に設けた取出し孔３３ａから外部に引き出されている。上下筒状本体３１，３２については上記筒状本体１１と同様の構造であり、また捕獲糸材３５の材質等についても上記捕獲糸材１５と同様である。
【００２３】
つぎに、もぐら捕獲器３０の使用方法について説明する。まず、垂直穴６の形成については、上記穴あけ筒部材２１を用いて、地表面１からもぐら道２を通りさらに下側まで延びた垂直穴６を形成する。つぎに、もぐら捕獲器３０の上下筒状本体３１，３２を軸方向に合わせ内部に捕獲糸材３５の捕獲部３６を収容し、引出し糸３８の先端側を蓋部材３３に設けた取出し孔３３ａから外部に引き出した状態で、垂直穴６内に挿入する。そして、下筒状本体３２を垂直穴６の下側部分６ｂ内に挿入した後、上筒状本体３１を上側部分６ａ内に引出して上端を地表１に合わせることにより、もぐら捕獲器３０の取り付けが終了する。
【００２４】
以上に示したように、第２実施例によれば、下筒状本体３２内に収容された捕獲糸材３５の捕獲部３６の下端に重り３７が取り付けられているため、もぐら捕獲器３０の取り付けの際に、捕獲部３６がもぐら道２に飛び出すことがなく、もぐら道２には捕獲部３６から延びた引出し糸３８があるのみなので、もぐらに気づかれることはない。そのため、図１０に示すように、もぐら道２を通過するもぐら５が、下筒状本体３２内の捕獲部３６に極めて容易に引っかかり、下筒状本体３２内から引っ張り出された捕獲部３６のフィラメントにもぐら５が確実に絡み付くようになる。
【００２５】
さらに、捕獲部３６に絡み付いたもぐら５の移動によって、捕獲糸材３５がもぐらの巣にまで導かれる。そのため、捕獲糸材３５が絡み付いたもぐら５が移動不能になり、確実に捕獲される。さらに、巣にたどり着いたもぐらに絡み付いた捕獲糸材３５が、巣内に居る他のもぐらにも絡み付くため、結果として複数のもぐらの捕獲も可能になる。また、このもぐら捕獲器３０は、地表１からもぐら道２を通過してその下側に達する垂直穴６を形成した後、上下筒状本体３１，３２を上側部分６ａ及び下側部分６ｂに挿嵌すればよいため、取り付けが非常に容易にされる。
【００２６】
なお、第２実施例のもぐら捕獲器３０において、図示しないが、捕獲部３６の上端に一体で取り付けられてもぐら道２内に配置された引出し糸３８の部分を、細い糸を編んだかすみ網のような網部に代えることもできる。このような細い糸からなる網部をもぐら道２に設けてももぐらに気づかれることなく、かつもぐらに確実に絡み付くため、引出し糸３８を設けた場合と同様の効果が得られる。
【００２７】
なお、上記各実施例に示したもぐら捕獲器については一例であり、本考案の主旨を逸脱しない範囲において種々変更して実施することが可能である。
【産業上の利用可能性】
【００２８】
本考案のもぐら捕獲器は、もぐらに気がつかれないようにもぐら道に細い道糸，網部あるいは引出し糸を配設し、道糸，網部あるいは引出し糸にもぐらが引っ掛かった後は、捕獲糸材がもぐらに絡みつき易くされているため、もぐらの捕獲が容易であると共に、巣内のもぐらの捕獲も可能になるという大きな効果が得られ、さらに取り付けも簡単なので非常に有用である。
【図面の簡単な説明】
【００２９】
【図１】本考案の第１実施例であるもぐら捕獲器の使用状態を示す断面図である。
【図２】同もぐら捕獲器の筒状本体を示す断面図である。
【図３】同もぐら捕獲器の捕獲糸材を概略的に示す模式図である。
【図４】同もぐら捕獲器の使用状態を説明する説明図である。
【図５】同もぐら捕獲器の使用状態を説明する説明図である。
【図６】同もぐら捕獲器の使用状態を説明する説明図である。
【図７】同もぐら捕獲器を取り付ける垂直孔を形成するための穴あけ筒部材を示す断面図である。
【図８】第１実施例の変形例であるもぐら捕獲器の使用状態を示す断面図である。
【図９】第２実施例であるもぐら捕獲器の使用状態を示す断面図である。
【図１０】同もぐら捕獲器の使用状態を説明する説明図である。
【符号の説明】
【００３０】
１０…もぐら捕獲器、１１…筒状本体、１３…蓋部材、１３ａ…取出し孔、１５…捕獲糸材、１６…捕獲部、１７…引出し糸、１８…道糸、１９…重り、２１…穴あけ筒部材、２４…かすみ網、３０…もぐら捕獲器、３１…上筒状本体、３２…下筒状本体、３３…蓋部材、３５…捕獲糸材、３６…捕獲部、３７…重り、３８…引出し糸。
【図１】
0003102516.tif 000003
【図２】
0003102516.tif 000004
【図３】
0003102516.tif 000005
【図４】
0003102516.tif 000006
【図５】
0003102516.tif 000007
【図６】
0003102516.tif 000008
【図７】
0003102516.tif 000009
【図８】
0003102516.tif 000010
【図９】
0003102516.tif 000011
【図１０】
0003102516.tif 000012